(57)【特許請求の範囲】
【請求項１】
ウエラブル端末との間で通信を行う通信部と、
タッチパネルと、
ロックを設定および解除する制御部とを備え、
前記制御部は、ロックが設定中に、前記ウエラブル端末の動きを示すデータを前記通信部が受信した場合に前記ロックを解除する条件と、前記ロックが設定中に、前記ウエラブル端末の動きを示すデータを前記通信部が受信しない場合に前記ロックを解除する条件と、を異ならせ、
前記ウエラブル端末の動きを示すデータを前記通信部が受信した場合に前記ロックを解除する条件は、前記ウエラブル端末の動きを示すデータに対応する条件および前記タッチパネルへのタッチ位置を表わすデータに対応する条件を含み、
前記ウエラブル端末の動きを示すデータを前記通信部が受信しない場合に前記ロックを解除する条件は、前記タッチパネルへのタッチ位置を表わすデータに対応する条件を含む、携帯端末。
【請求項２】
前記通信部は、前記ウエラブル端末の動きを示すデータとして加速度データを受信する、請求項１記載の携帯端末。
【請求項３】
前記制御部は、
前記データを受信した場合に、前記ロックの解除方式をセキュリテイレベルが低い第１解除方式とし、
前記データを受信しない場合に、前記ロックの解除方式をセキュリティレベルが高い第２解除方式とする、請求項１記載の携帯端末。
【請求項４】
前記第１解除方式は、スライド操作であり、
前記第２解除方式は、パターン入力操作である、請求項３記載の携帯端末。
【発明の詳細な説明】
【技術分野】
【０００１】
本発明は、携帯端末および携帯端末のロック制御方法に関する。
【背景技術】
【０００２】
たとえば、特許文献１（特開２０１３−１８７８７９号公報）に記載の携帯端末は、ユーザからの入力に対応して特定される特定処理の実行が禁止されたロック状態において当該特定処理を実行するための条件が成立したときに、ユーザが所有する腕時計に貼付けられた認証情報記録体と近距離通信を行なう。携帯端末は、認証情報記録体が記録するＩＤ情報を取得して、ＩＤ情報が正当である場合に、ロック状態を解除する。
【先行技術文献】
【特許文献】
【０００３】
【特許文献１】特開２０１３−１８７８７９号公報
【発明の概要】
【発明が解決しようとする課題】
【０００４】
しかしながら、特許文献１に記載のロック解除方法では、たとえば、正規のユーザが認証情報記録媒体を貼り付けた腕時計を保持し、かつ携帯端末を保持せずに携帯端末の近辺に所在する場合でも、ロックが解除されてしまう。そのような場合、携帯端末の近辺に所在する他人は、ロックが解除された携帯端末を無断で操作することが可能となり、セキュリティ上問題となる。
【課題を解決するための手段】
【０００５】
本発明の一態様の携帯端末は、ウエラブル端末との通信が可能な携帯端末であって、ウエラブル端末は、ウエラブル端末の動きを示すデータを携帯端末に送信する。携帯端末は、ウエラブル端末との間で通信を行う通信部と、ロックを設定および解除するロック制御部と、物体の近接または接触を検出するタッチパネルとを備える。通信部は、ウエラブル端末からウエラブル端末の動きを示すデータが受信可能である。ロック制御部は、ロックが設定されている場合において、通信部がウエラブル端末の動きを示すデータを受信した場合に、ウエラブル端末の動きを示すデータと、タッチパネル上の近接または接触が検出された位置を表わすデータに基づいて、ロックの解除を制御する。
【発明の効果】
【０００６】
本発明の一態様によれば、携帯端末を操作したユーザがウエラブル端末を装着していないときには、携帯端末のロック機能が解除されないようにすることができる。
【図面の簡単な説明】
【０００７】
【図１】実施の形態の携帯端末とウエラブル端末からなる電子システムを表わす図である。
【図２】実施の形態のロック解除の方式の設定画面を表わす図である。
【図３】スライドによるロック解除の例を表わす図である。
【図４】パターンによるロック解除の例を表わす図である。
【図５】ロックＮｏ．によるロック解除の例を表わす図である。
【図６】パスワードによるロック解除の例を表わす図である。
【図７】携帯端末とウエラブル端末の認証手続きのシーケンスを表わす図である。
【図８】第１の実施形態におけるロック機能の設定および解除の手順を表わすフローチャートである。
【図９】第２の実施形態における、第１解除方式と第２解除方式の組み合わせの例を表わす図である。
【図１０】第２の実施形態における、第１解除方式でのロック解除後に表示される画面と第２解除方式でのロック解除後に表示される画面の組み合わせ例を表わす図である。
【図１１】第２の実施形態におけるロック機能の設定および解除の手順を表わすフローチャートである。
【図１２】第１解除方式でのロック解除後に表示される画面の例を表わす図である。
【図１３】第２解除方式でのロック解除後に表示される画面の例を表わす図である。
【図１４】第１解除方式と第２解除方式の組み合わせの変形例を表わす図である。
【図１５】第１解除方式でのロック解除後に表示される画面と、第２解除方式でのロック解除後に表示される画面の組み合わせの変形例を表わす図である。
【図１６】変形例におけるロックの設定および解除の手順を表わすフローチャートである。
【発明を実施するための形態】
【０００８】
以下、本発明の実施の形態について図面を用いて説明する。
［第１の実施形態］
図１は、本実施形態の携帯端末１とウエラブル端末２からなる電子システムを表わす図である。
【０００９】
ウエラブル端末２は、ユーザの指に装着される指輪型のデバイスである。ウエラブル端末２は、制御部２１と、ディスプレイ２２と、タッチパネル２３と、メモリ２５と、近距離通信部２６と、加速度センサ２７とを備える。制御部２１は、表示制御部２８と、入力制御部２９と、アプリケーション実行部３０と、近距離通信制御部３１と、センサ制御部３２とを備える。
【００１０】
アプリケーション実行部３０は、ウエラブル端末２用のアプリケーションを実行する。
ディスプレイ２２は、アプリケーション実行部３０の実行結果などを表示する。表示制御部２８は、ディスプレイ２２の表示を制御する。
【００１１】
タッチパネル２３は、ユーザからの入力を受け付ける。入力制御部２９は、タッチパネル２３を制御する。
【００１２】
ウエラブル端末２がユーザの指に装着されるため、加速度センサ２７は、ユーザの指の動きを表わす加速度データを出力する。センサ制御部３２は、加速度センサ２７の動作を制御する。
【００１３】
メモリ２５は、第１の認証ＩＤを記憶する。
近距離通信部２６は、携帯端末１との間で通信を行なう。具体的には、近距離通信部２６は、携帯端末１からの指示を受けて、メモリ２５に記憶されている第１の認証ＩＤを携帯端末１へ送信する。また、近距離通信部２６は、携帯端末１からの指示を受けて、加速度センサ２７が出力する加速度データを携帯端末１へ送信する。近距離通信制御部３１は、近距離通信部２６の動作を制御する。
【００１４】
携帯端末１は、ディスプレイ４と、タッチパネル５と、メモリ６と、アンテナ７と、無線通信部８と、近距離通信部１０と、制御部３とを備える。制御部３は、無線制御部１１と、表示制御部１２と、入力制御部１３と、ロック制御部１４と、アプリケーション実行部１６と、近距離通信制御部１７とを備える。
【００１５】
アプリケーション実行部１６は、各種のアプリケーションを実行する。
ディスプレイ４は、アプリケーション実行部１６の実行結果などを表示する。表示制御部１２は、ディスプレイ４の表示を制御する。
【００１６】
タッチパネル５は、ユーザからの入力を受け付ける。入力制御部１３は、タッチパネル５を制御する。タッチパネル５は、静電容量方式に従って、物体（ユーザの指またはペンなど）の接触または近接を検出する。
【００１７】
無線通信部８は、アンテナ７を通じて、図示しない無線基地局との間で無線通信を行なう。
【００１８】
メモリ６は、第２の認証ＩＤを記憶する。メモリ６は、ロック解除のためのタッチパネル５の入力位置の遷移を表わすデータを記憶する。
【００１９】
近距離通信部１０は、ウエラブル端末２との間で通信を行なう。具体的には、近距離通信部１０は、ウエラブル端末２に対して第１の認証ＩＤの送信を指示し、指示に従ってウエラブル端末２から送信される第１の認証ＩＤを受信する。また、近距離通信部１０は、ウエラブル端末２に対して加速度データの送信を指示し、指示に従って、ウエラブル端末２から送信される加速度データを受信する。
【００２０】
ロック制御部１４は、ロックを設定および解除する。
ロック制御部１４は、ユーザが一定時間、タッチパネル５を操作しなかったとき、ユーザがディスプレイ４の画面をオフにするボタンを操作したとき、またはユーザがロックアイコンをタッチしたことなどよってロック設定を指示したときに、表示制御部１２を介してロック画面をディスプレイ４に表示させるとともに、ロックを設定する。
【００２１】
ロック制御部１４は、ロックが設定されている場合には、ロック解除のための入力を除き、ユーザからのタッチパネル５への入力を受け付けないように制御する。
【００２２】
ただし、ロック状態においても、緊急通報（日本では１１０、１１９、１１６番、米国では９１１番の番号への発信）は、操作可能とする、これは、ロック解除することなく、緊急を要する電話発信をできるようにするためである。また、ロック解除なしで、限られた機能を動作させることができるようにしてもよい。たとえば、所定の操作でカメラ機能のみが動作できるようにしてもよい。また、カメラに限らず、機内モードのオン／オフを制御できるようにしてもよい。
【００２３】
ロック制御部１４は、メモリ６に記憶されている第２の認証ＩＤと、ウエラブル端末２から送られてくる第１の認証ＩＤとを照合する。ロック制御部１４は、照合結果が一致するときに、認証が成功したと判定する。
【００２４】
ロック制御部１４は、ロック機能が設定されている場合において、認証が成功したときに、ウエラブル端末２を装着した指で、タッチパネル５に対してロック解除のための正しい入力がなされたときに、ロックを解除する。つまり、ロック制御部１４は、ウエラブル端末２から指の動きを表わす加速度データを受信した場合に、受信した加速度データと、タッチパネル５上のタッチした位置を表わすデータに基づいて、ロックの解除を制御する。
【００２５】
以下、より具体的に、ロックの解除方法について説明する。
図２は、本実施の形態のロック解除の方式の設定画面を表わす図である。
【００２６】
スライド操作を行なう「スライド」と、予め設定登録されたパターン入力操作を行なう「パターン」と、予め設定登録されたロックＮｏ．入力操作を行なう「ロックＮｏ．」と、予め設定登録されたパスワード入力操作を行なう「パスワード」のうちのいずれでロック解除するかをユーザは設定することができる。
【００２７】
図２の例では、ユーザは「パターン」が選択されているので、ユーザは、予め設定登録されたパターンを入力することによってロック解除ができる。
【００２８】
図３は、スライドによるロック解除の例を表わす図である。
図３に示すように、ロック解除方式として「スライド」が設定されている場合には、ユーザは、スライド操作（任意の方向に指を滑らせる）することによって、ロックが解除される。
【００２９】
ロック制御部１４は、タッチパネル５上のタッチした位置の遷移が指の移動を表わし、かつ指の動きを表わす加速度データによって特定されるウエラブル端末２の位置の遷移が指の移動を表わし、かつそれらの指の移動が一致するときに、ロックを解除する。
【００３０】
図４は、パターンによるロック解除の例を表わす図である。
図４に示すように、ロック解除方式として「パターン」が設定されている場合には、ユーザは、予め設定登録されたパターン（表示された９つのドットのうちの一部または全部を指でなぞる）を入力することによって、ロックが解除される。
【００３１】
ロック解除方式として「パターン」が設定されるときには、ユーザは、タッチパネル５上で指を動かすことによって、パターンを設定する。その結果、メモリ６には、設定されたパターンを表わすタッチパネル５の位置の遷移を表わすデータが記憶される。
【００３２】
ロック制御部１４は、タッチパネル５上のタッチした位置の遷移とメモリ６に記憶されているタッチパネル５上の位置の遷移との類似度が所定値以上であり、かつ指の動きを表わす加速度データで特定されるウエラブル端末２の位置の遷移とメモリ６に記憶されているタッチパネル５上の位置の遷移との類似度が所定値以上であるときに、ロックを解除する。ここで、類似度は、たとえば、２乗平均誤差を用いることできる。
【００３３】
図５は、ロックＮｏ．によるロック解除の例を表わす図である。
図５に示すように、ロック解除方式として「ロックＮｏ．」が設定されている場合には、ユーザは、予め設定登録された４桁の数字からなるロックＮｏ．を入力することによって、ロックが解除される。
【００３４】
ロック解除方式として「ロックＮｏ．」が設定されるときには、ユーザは、数字入力キーの領域において、タッチパネル５上で指を動かすことによって、ロックＮｏ．を設定する。その結果、メモリ６には、設定されたロックＮｏ．を表わす４桁の数字が記憶される。
【００３５】
ロック制御部１４は、タッチパネル５上のタッチした位置の遷移から入力された４桁の数字を特定する。ロック制御部１４は、指の動きを表わす加速度データで特定されるウエラブル端末２の位置の遷移から入力された４桁の数字を特定する。
【００３６】
ロック制御部１４は、タッチパネル５へのタッチによって特定した４桁の数字とメモリ６に記憶されている４桁の数字とが一致し、かつ加速度データによって特定した４桁の数字とメモリ６に記憶されている４桁の数字とが一致するときには、ロックを解除する。ここで、類似度は、たとえば、２乗平均誤差を用いることできる。
【００３７】
図６は、パスワードによるロック解除の例を表わす図である。
図６に示すように、ロック解除方式として「パスワード」が設定されている場合には、ユーザは、予め設定登録された任意桁数の文字または数字からなるパスワードを入力することによって、ロックが解除される。
【００３８】
ロック解除方式として「パスワード」が設定されるときには、ユーザは、文字入力キーの領域において、タッチパネル５上で指を動かすことによって、パスワードを設定する。その結果、メモリ６には、設定されたパスワードを表わす任意桁数の文字または数字が記憶される。
【００３９】
ロック制御部１４は、タッチパネル５上のタッチした位置の遷移から入力された任意桁数の文字または数字を特定する。ロック制御部１４は、指の動きを表わす加速度データで特定されるウエラブル端末２の位置の遷移から入力された任意桁数の文字または数字を特定する。
【００４０】
ロック制御部１４は、タッチパネル５へのタッチによって特定した任意桁数の文字または数字とメモリ６に記憶されている任意桁数の文字または数字とが一致し、かつ加速度データによって特定した任意桁数の文字または数字とメモリ６に記憶されている任意桁数の文字または数字とが一致するときには、ロックを解除する。ここで、類似度は、たとえば、２乗平均誤差を用いることできる。
【００４１】
図７は、携帯端末１とウエラブル端末２の認証手続きのシーケンスを表わす図である。
ステップＳ３０１において、携帯端末１のロック制御部１４が、近距離通信部１０を通じて、ウエラブル端末２に対して、第１の認証ＩＤを送信するように指示する。
【００４２】
ステップＳ３０２において、ウエラブル端末２の近距離通信部２６が、第１の認証ＩＤの送信指示を受信した場合に、処理がステップＳ３０３に進む。
【００４３】
ステップＳ３０３において、ウエラブル端末２の近距離通信部２６が、メモリ２５に記憶されている第１の認証ＩＤを送信する。
【００４４】
ステップＳ３０４において、携帯端末１のロック制御部１４が、近距離通信部１０を通じて、ウエラブル端末２から第１の認証ＩＤを所定時間以内に受信した場合には、処理がステップＳ３０５に進み、第１の認証ＩＤを所定時間以内に受信しなかった場合には、処理がステップＳ３０８に進む。
【００４５】
ステップＳ３０５において、携帯端末１のロック制御部１４が、メモリ６に記憶されている第２の認証ＩＤを読出す。
【００４６】
ステップＳ３０６において、携帯端末１のロック制御部１４が、受信した第１の認証ＩＤと、読み出した第２の認証ＩＤとを照合する。照合結果が一致している場合には、ステップＳ３０７に進み、不一致の場合には、ステップＳ３０８に進む。
【００４７】
ステップＳ３０７において、携帯端末１のロック制御部１４は、ウエラブル端末２の認証が成功したと判定する。
【００４８】
ステップＳ３０８において、携帯端末１のロック制御部１４は、ウエラブル端末２の認証が成功しなかった（失敗した）と判定する。
【００４９】
図８は、第１の実施形態におけるロックの設定および解除の手順を表わすフローチャートである。
【００５０】
まず、ステップＳ１０１において、携帯端末１のロック制御部１４が、ユーザが一定時間、タッチパネル５を操作しなかったとき、ユーザがディスプレイ４の画面をオフにするボタンを操作したとき、またはユーザがロックアイコンをタッチしたことなどよってロック設定を指示したときに、表示制御部１２を介してロック画面をディスプレイ４に表示させるとともに、ロックを設定する。
【００５１】
ステップＳ１０２において、既にウエラブル端末２の認証が成功している場合には、処理がステップＳ１０５に進み、まだウエラブル端末２の認証が成功していない場合には、処理がステップＳ１０３に進む。
【００５２】
ステップＳ１０３において、携帯端末１のロック制御部１４が、図７に示すウエラブル端末２の認証手続きが実行されるように制御する。
【００５３】
ステップＳ１０４において、ウエラブル端末２の認証が成功した場合には、処理がステップＳ１０５に進み。ウエラブル端末２の認証が成功しなかった場合には、処理がステップＳ１０３に戻る。
【００５４】
ステップＳ１０５において、携帯端末１のロック制御部１４は、近距離通信部１０を通じて、ウエラブル端末２に対して、ウエラブル端末２の加速度センサ２７から出力される加速度データを送信するように指示する。ウエラブル端末２の近距離通信部２６が、加速度データの送信指示を受信し、加速度センサ２７から出力される加速度データを携帯端末１へ送信する。
【００５５】
ステップＳ１０６において、携帯端末１のロック制御部１４が、近距離通信部１０を通じて、ウエラブル端末２から加速度データを受信した場合には、処理がステップＳ１０７に進む。携帯端末１のロック制御部１４が、加速度データを受信しなかった場合には、処理がステップＳ１１２に進む。
【００５６】
ステップＳ１０７において、携帯端末１のロック制御部１４が、タッチパネル５へのタッチ位置を表わす位置データを取得する。
【００５７】
ステップＳ１０８において、取得したタッチパネル５へのタッチ位置を表わすデータで示されるタッチパネル５へのタッチ位置の遷移と、メモリ６に記録されているロック解除データで示されるタッチパネル５の位置の遷移の類似度が所定値以上の場合に、処理がステップＳ１０９に進む。類似度が所定値未満の場合には、処理がステップＳ１１２に進む。
【００５８】
ステップＳ１０９において、受信した加速度データで示されるウエラブル端末２の位置の遷移と、メモリ６に記録されているロック解除データで示されるタッチパネル５の位置の遷移の類似度が所定値以上の場合に、処理がステップＳ１１０に進む。類似度が所定値未満の場合には、処理がステップＳ１１２に進む。ステップＳ１０９では、タッチパネル５へのタッチの開始時から終了時までに受信した加速度データが用いられる。
【００５９】
ステップＳ１１０において、携帯端末１のロック制御部１４が、ロックを解除する。
ステップＳ１１１において、携帯端末１のロック制御部１４が、表示制御部１２を介してロック設定前の画面をディスプレイ４に表示させる。
【００６０】
ステップＳ１１０において、携帯端末１のロック制御部１４が、表示制御部１２を介してロックが解除できなかった旨のメッセージを含む画面をディスプレイ４に表示させる。
【００６１】
以上のように、本実施の形態によれば、携帯端末を操作したユーザがウエラブル端末を装着していないときには、ウエラブル端末からの加速度データが得られないか、またはウエラブルデータの加速度データで示されるユーザの指の動きが、タッチパネルへのタッチのため指の動きと相違する。このような特徴を利用して、携帯端末のロックが不正に解除されないようにすることができる。
【００６２】
［第２の実施形態］
本実施の形態では、ユーザが、ウエラブル端末２を装着してタッチパネル５を操作するときのロック解除方式と、ウエラブル端末２を装着せずにタッチパネル５を操作するときのロック解除方式とが異なる。
【００６３】
すなわち、ロック制御部１４は、ロックが設定されている場合において、ウエラブル端末２から加速度データを受信した場合に、受信した指の動きを表わす加速度データと、タッチパネル５へのタッチした位置を表わすデータに基づいて、セキュリティレベルが低い第１解除方式によるロックの解除を制御する。
【００６４】
ロック制御部１４は、ロックが設定されている場合において、ウエラブル端末２から加速度データを受信しない場合に、タッチパネル５へのタッチした位置を表わすデータに基づいて、セキュティレベルが高い第２解除方式によるロックの解除を制御する。
【００６５】
ここで、セキュリティレベルが高い場合には、ユーザが入力できる選択枝の数に対して、その中でロックが解除される選択枝の数が低くなる。セキュリティレベルが低い場合には、ユーザが入力できる選択枝の数に対して、その中でロックが解除される選択枝の数が高くなる。
【００６６】
たとえば、ロックＮｏ．が４桁の数字の場合、ロックＮｏ．によるロック解除方式では、ユーザが入力できる選択枝の数は、１０，０００（＝１０×１０×１０×１０）であり、ロックが解除される選択枝の数は、１である。
【００６７】
また、パスワードが１桁から６桁までの任意桁数の文字または数字で構成され、文字の種類が２６個で、数字の種類が１０個の場合、パスワードによるロック解除方式では、ユーザが入力できる選択枝の数は、約２２億（（≒３６＋３６2＋３６3＋３６4＋３６5＋３６6）であり、ロックが解除される選択枝の数は、１である。
【００６８】
また、パターンについて９個のドットのうち最低４個のドットを結ぶこと、１つのドットは１回しか結べないという条件がある場合、パターンによるロック解除方式では、ユーザが入力できる選択枝の数は、約１４万であり、ロックが解除される選択枝の数は１である。
【００６９】
また、スライドによるロック解除方式では、ユーザは、いずれの方向に指を動かしてもいいので、ユーザが選択できる選択枝のすべてがロックが解除される選択枝でもある。
【００７０】
したがって、本実施形態において、セキュリティレベルは、低い方から順にスライド、ロックＮｏ．パターン、パスワードとなる。
【００７１】
図９は、第２の実施形態における、第１解除方式と第２解除方式の組み合わせの例を表わす図である。
【００７２】
図９に示すように、第１解除方式がセキュリティレベルが低いスライド操作であり、第２解除方式がセキュリティレベルが高いパターン入力操作である。
【００７３】
さらに、本実施の形態では、ユーザが、ウエラブル端末２を装着してロックを解除したときに表示される画面と、ウエラブル端末２を装着せずにロックを解除したときに表示される画面とが異なる。
【００７４】
図１０は、第２の実施形態における、第１解除方式でのロック解除後に表示される画面と第２解除方式でのロック解除後に表示される画面の組み合わせの例を表わす図である。
【００７５】
図１０に示すように、第１解除方式でのロック解除後には、ロック設定前の画面が表示される。これは、ユーザが、ロック設定前に行っていた操作を引き続き実行できるようにするためである。
【００７６】
第２解除方式でのロック解除後には、ホーム画面が表示される。
ホーム画面とは、ユーザ操作の起点となる画面である。ホーム画面は、デスクトップ、待受画面、標準画面、アプリ一覧画面と呼ばれることもある。これは、ウエラブル端末２を装着せずにロックが解除されたときには、携帯端末１の所有者以外の者（他人）がロックを解除した可能性があり、ロック設定前の画面が表示されると、携帯端末１の所有者がロック設定前に実行していた操作が他人に知られてしまうからである。
【００７７】
図１１は、第２の実施形態における、ロックの設定および解除の手順を表わすフローチャートである。
【００７８】
まず、ステップＳ２０１において、携帯端末１のロック制御部１４が、ユーザが一定時間、タッチパネル５を操作しなかったとき、ユーザがディスプレイ４の画面をオフにするボタンを操作したとき、またはユーザがロックアイコンをタッチしたことなどよってロック設定を指示したときに、表示制御部１２を介してロック画面をディスプレイ４に表示させるとともに、ロックを設定する。
【００７９】
ステップＳ２０２において、既にウエラブル端末２の認証が成功している場合には、処理がステップＳ２０９に進み、ウエラブル端末２の認証が成功していない場合には、処理がステップＳ２０３に進む。
【００８０】
ステップＳ２０３において、携帯端末１のロック制御部１４が、図７に示すウエラブル端末２の認証手続きが実行されるように制御する。
【００８１】
ステップＳ２０４において、ウエラブル端末２の認証が成功した場合には、処理がステップＳ２０９に進み、ウエラブル端末２の認証が成功しなかった場合には、処理がステップＳ２０５に進む。
【００８２】
ステップＳ２０５において、携帯端末１のロック制御部１４が、タッチパネル５へタッチ位置を表わす位置データを取得する。
【００８３】
ステップＳ２０６において、取得したタッチパネル５へのタッチ位置を表わす位置データで示されるタッチパネル５への入力位置の遷移と、メモリ６に記録されている第２解除方式でのロック解除データで示されるタッチパネル５の位置の遷移の類似度が所定値以上の場合に、処理がステップＳ２０７に進む。類似度が所定値未満の場合には、処理がステップＳ２１６に進む。
【００８４】
ステップＳ２０７において、携帯端末１のロック制御部１４が、ロックを解除する。
ステップＳ２０８において、携帯端末１のロック制御部１４が、表示制御部１２を介して図１２に示すようなホーム画面をディスプレイ４に表示させる。
【００８５】
ステップＳ２０９において、携帯端末１のロック制御部１４は、近距離通信部１０を通じて、ウエラブル端末２に対して、ウエラブル端末２の加速度センサ２７から出力される加速度データを送信するように指示する。ウエラブル端末２の近距離通信部２６が、加速度データの送信指示を受信し、加速度センサ２７から出力される加速度データを携帯端末１へ送信する。
【００８６】
ステップＳ２１０において、携帯端末１のロック制御部１４が、近距離通信部１０を通じて、ウエラブル端末２から加速度データを受信した場合には、処理がステップＳ２１１に進む。携帯端末１のロック制御部１４が、加速度データを受信しなかった場合には、処理がステップＳ２１６に進む。
【００８７】
ステップＳ２１１において、携帯端末１のロック制御部１４が、タッチパネル５へのタッチ位置を表わす位置データを取得する。
【００８８】
ステップＳ２１２において、取得したタッチパネル５へのタッチ位置を表わすデータで示されるタッチパネル５への入力位置の遷移と、メモリ６に記録されている第１解除方式でのロック解除データで示されるタッチパネル５の位置の遷移の類似度が所定値以上の場合に、処理がステップＳ２１３に進む。類似度が所定値未満の場合には、処理がステップＳ２１６に進む。
【００８９】
ステップＳ２１３において、受信した加速度データで示されるウエラブル端末２の位置の遷移と、メモリ６に記録されている第１解除方式でのロック解除データで示されるタッチパネル５の位置の遷移の類似度が所定値以上の場合に、処理がステップＳ２１４に進む。類似度が所定値未満の場合には、処理がステップＳ２１６に進む。ステップＳ２１３では、タッチパネル５へのタッチの開始時から終了時までに受信した加速度データが用いられる。
【００９０】
ステップＳ２１４において、携帯端末１のロック制御部１４が、ロックを解除する。
ステップＳ２１５において、携帯端末１のロック制御部１４が、表示制御部１２を介して図１３に示すようなロック設定前の画面をディスプレイ４に表示させる。
【００９１】
ステップＳ２１６において、携帯端末１のロック制御部１４が、表示制御部１２を介してロックが解除できなかった旨のメッセージを含む画面をディスプレイ４に表示させる。
【００９２】
以上のように、本実施の形態によれば、携帯端末を操作したユーザがウエラブル端末を装着していないときには、セキュリティレベルが高い解除方式によらなければロックを解除できない。これにより、携帯端末のロックが不正に解除されないようにすることができる。
【００９３】
たとえば、ユーザ本人がウエラブル端末を装着した状態で操作していることを第３者が見ていた場合、その第３者が故意にロック解除を見よう見まねで試みた場合に、本実施の形態は、特に効果を発揮する。なぜなら、ユーザと同じ処理（ロック解除操作）を行ってもロックが解除されないからである。これによって、ユーザのロック解除操作を第３者に見られたとしても、第３者が簡単にロック解除ができないようにすることができる。
【００９４】
［第２の実施形態の変形例１］
第１解除方式と第２解除方式は、図９に示すものに限定されるものではない。
【００９５】
図１４（ａ）〜（ｋ）は、第１解除方式と第２解除方式の組み合わせの変形例を表わす図である。
【００９６】
図１４（ａ）に示すように、第１解除方式がスライド操作で、第２解除方式がロックＮｏ．入力操作としてもよい。
【００９７】
図１４（ｂ）に示すように、第１解除方式がスライド操作で、第２解除方式がパスワード入力操作としてもよい。
【００９８】
図１４（ｃ）に示すように、第１解除方式がロックＮｏ．入力操作で、第２解除方式がパターン入力操作としてもよい。
【００９９】
図１４（ｄ）に示すように、第１解除方式がロックＮｏ．入力操作で、第２解除方式がパスワード入力操作としてもよい。
【０１００】
図１４（ｅ）に示すように、第１解除方式がパターン入力操作で、第２解除方式がパスワード入力操作としてもよい。
【０１０１】
図１４（ｆ）に示すように、第１解除方式がスライド操作で、第２解除方式がスライド操作とロックＮｏ．入力操作としてもよい。つまり、第２解除方式では、スライド操作をした後、さらにロックＮｏ．を入力しなければ、ロックが解除できない。
【０１０２】
図１４（ｇ）に示すように、第１解除方式がスライド操作で、第２解除方式がスライド操作とパターン入力操作としてもよい。つまり、第２解除方式では、スライド操作をした後、さらにパターンを入力しなければ、ロックが解除できない。
【０１０３】
図１４（ｈ）に示すように、第１解除方式がスライド操作で、第２解除方式がスライド操作とパスワード入力操作としてもよい。つまり、第２解除方式では、スライド操作をした後、さらにパスワードを入力しなければ、ロックが解除できない。
【０１０４】
図１４（ｉ）に示すように、第１解除方式がロックＮｏ．入力操作で、第２解除方式がロックＮｏ．入力操作とパターン入力操作としてもよい。つまり、第２解除方式では、ロックＮｏ．を入力をした後、さらにパターンを入力しなければ、ロックが解除できない。
【０１０５】
図１４（ｊ）に示すように、第１解除方式がロックＮｏ．入力操作で、第２解除方式がロックＮｏ．入力操作とパスワード入力操作としてもよい。つまり、第２解除方式では、ロックＮｏ．を入力をした後、さらにパスワードを入力しなければ、ロックが解除できない。
【０１０６】
図１４（ｋ）に示すように、第１解除方式がパターン入力操作で、第２解除方式がパターン入力操作とパスワード入力操作としてもよい。つまり、第２解除方式では、パターンの入力をした後、さらにパスワードを入力しなければ、ロックが解除できない。
【０１０７】
上記以外でも、第１解除方式がセキュリティレベルが低く、第２解除方式がセキュリティレベルが高いものであれば、任意の組み合わせが可能である。たとえば、第１解除方式が、スライド操作で、第２解除方式が、ロックＮＯ．入力操作とパターン入力操作とパスワード入力操作であってもよい。
【０１０８】
［第２の実施形態の変形例２］
第１解除方式によるロック解除後に表示される画面と、第２解除方式によるロック解除後に表示される画面は、図１０に示すものに限定されるものではない。
【０１０９】
図１５（ａ）〜（ｊ）は、第１解除方式でのロック解除後に表示される画面と、第２解除方式でのロック解除後に表示される画面の組み合わせの変形例を表わす図である。
【０１１０】
図１５（ａ）に示すように、第１解除方式でのロック解除後に使用頻度の最も高い画面を表示し、第２解除方式でのロック解除後にホーム画面を表示するものとしてもよい。
【０１１１】
図１５（ｂ）に示すように、第１解除方式でのロック解除後にイベントに関連する画面を表示し、第２解除方式でのロック解除後にホーム画面を表示するものとしてもよい。イベントは、メールを受信、着信、Ｌｉｎｅ（ライン）でのメッセージ受信、または予め定められたスケジュールに従ってアプリケーションが起動するなどを意味する。
【０１１２】
図１５（ｃ）に示すように、第１解除方式でのロック解除後に複数イベントが発生している場合に、最も優先度の高いイベントに関連する画面を表示し、第２解除方式でのロック解除後にホーム画面を表示するものとしてもよい。優先度は、ユーザによって予め定めておくことができる。
【０１１３】
図１５（ｄ）に示すように、第１解除方式でのロック解除後に複数イベントが発生している場合に、最先に発生したイベントに関連する画面を表示し、第２解除方式でのロック解除後にホーム画面を表示するものとしてもよい。
【０１１４】
図１５（ｅ）に示すように、第１解除方式でのロック解除後に複数イベントが発生している場合に、最後に発生したイベントに関連する画面を表示し、第２解除方式でのロック解除後にホーム画面を表示するものとしてもよい。
【０１１５】
図１５（ｆ）に示すように、第１解除方式でのロック解除後に使用頻度の最も高い画面を表示し、第２解除方式でのロック解除後にロック設定前の画面を表示するものとしてもよい。
【０１１６】
図１５（ｇ）に示すように、第１解除方式でのロック解除後にイベントに関連する画面を表示し、第２解除方式でのロック解除後にロック設定前の画面を表示しものとしてもよい。
【０１１７】
図１５（ｈ）に示すように、第１解除方式でのロック解除後に複数イベントが発生している場合に、最も優先度の高いイベントに関連する画面を表示し、第２解除方式でのロック解除後にロック設定前の画面を表示するものとしてもよい。
【０１１８】
図１５（ｉ）に示すように、第１解除方式でのロック解除後に複数イベントが発生している場合に、最先に発生したイベントに関連する画面を表示し、第２解除方式でのロック解除後にロック設定前の画面を表示するものとしてもよい。
【０１１９】
図１５（ｊ）に示すように、第１解除方式でのロック解除後に複数イベントが発生している場合に、最後に発生したイベントに関連する画面を表示し、第２解除方式でのロック解除後にロック設定前の画面を表示するものとしてもよい。
【０１２０】
［第２の実施形態の変形例３］
第２の実施形態では、第２解除方式でのロック解除後には、一律にホーム画面を表示するものとしたが、これに限定するものではない。
【０１２１】
ｎ回目のロック解除方式が、第２解除方式の場合に、（ｎ−１）回目のロック解除方式に応じて、ホーム画面を表示するか、ロック設定前の画面を表示するかを変えるものとしてもよい。
【０１２２】
（ｎ−１）回目のロック解除方式が第１解除方式の場合に、ｎ回目の第２解除方式のロック解除後には、ホーム画面が表示されるが、（ｎ−１）回目のロック解除方式が第２解除方式の場合に、ｎ回目の第２解除方式のロック解除後には、ｎ回目のロック前の画面が表示されるものとしてもよい。
【０１２３】
このような構成により、例えば、たまたまウエラブル端末２を身に付けていない正規のユーザが（ｎ−１）回目とｎ回目に連続して第２解除方式のロック解除を行った場合に、ｎ回目の第２解除方式のロック解除後に、ｎ回目のロック前の画面が表示されるので、ユーザの使い勝手が向上する。
【０１２４】
（全体を通じての変形例）
本発明は、上記の実施形態に限定されるものではない。たとえば、本発明には、以下のような変形例も含まれる。
【０１２５】
（１）ウエラブル端末
本実施の形態では、ウエラブル端末が指輪型デバイスであるものとして説明したが、これに限定されるものではなく、たとえば腕時計型デバイスであってもよい。
【０１２６】
（２）認証手続き
本発明の実施の形態では、ウエラブル端末の認証手続きは、ロックが設定される前の任意のタイミング、およびロックが設定された直後としたが、これに限定されるものではない。
【０１２７】
ロックが設定された直後だけ認証手続きを実行するものとしてもよい。
あるいは、図１６のフローチャートに示されるように、ロック設定され、その後加速度が検出されて、一連の処理が行われた後、最後に認証手続きを実行するものとしてもよい。
【０１２８】
図１６は、変形例におけるロックの設定および解除の手順を表わすフローチャートである。
【０１２９】
まず、ステップＳ５０１において、携帯端末１のロック制御部１４が、ユーザが一定時間、タッチパネル５を操作しなかったとき、ユーザがディスプレイ４の画面をオフにするボタンを操作したとき、またはユーザがロックアイコンをタッチしたことなどよってロック設定を指示したときに、表示制御部１２を介してロック画面をディスプレイ４に表示させるとともに、ロックを設定する。
【０１３０】
ステップＳ５０２において、携帯端末１のロック制御部１４は、近距離通信部１０を通じて、ウエラブル端末２に対して、ウエラブル端末２の加速度センサ２７から出力される加速度データを送信するように指示する。ウエラブル端末２の近距離通信部２６が、加速度データの送信指示を受信し、加速度センサ２７から出力される加速度データを携帯端末１へ送信する。
【０１３１】
ステップＳ５０３において、携帯端末１のロック制御部１４が、近距離通信部１０を通じて、ウエラブル端末２から加速度データを受信した場合には、処理がステップＳ５０４に進む。携帯端末１のロック制御部１４が、加速度データを受信しなかった場合には、処理がステップＳ５１１に進む。
【０１３２】
ステップＳ５０４において、携帯端末１のロック制御部１４が、タッチパネル５へのタッチ位置を表わす位置データを取得する。
【０１３３】
ステップＳ５０５において、取得したタッチパネル５へのタッチ位置を表わすデータで示されるタッチパネル５へのタッチ位置の遷移と、メモリ６に記録されているロック解除データで示されるタッチパネル５の位置の遷移の類似度が所定値以上の場合に、処理がステップＳ５０６に進む。類似度が所定値未満の場合には、処理がステップＳ５１１に進む。
【０１３４】
ステップＳ５０６において、受信した加速度データで示されるウエラブル端末２の位置の遷移と、メモリ６に記録されているロック解除データで示されるタッチパネル５の位置の遷移の類似度が所定値以上の場合に、処理がステップＳ５０７に進む。類似度が所定値未満の場合には、処理がステップＳ５１１に進む。
【０１３５】
ステップＳ５０７において、携帯端末１のロック制御部１４が、図７に示すウエラブル端末２の認証手続きが実行されるように制御する。
【０１３６】
ステップＳ５０８において、ウエラブル端末２の認証が成功した場合には、処理がステップＳ５０９に進み。ウエラブル端末２の認証が成功しなかった場合には、処理がステップＳ５１１に進む。
【０１３７】
ステップＳ５０９おいて、携帯端末１のロック制御部１４が、ロックを解除する。
ステップＳ５１０において、携帯端末１のロック制御部１４が、表示制御部１２を介してロック設定前の画面をディスプレイ４に表示させる。
【０１３８】
ステップＳ５１１において、携帯端末１のロック制御部１４が、表示制御部１２を介してロックが解除できなかった旨のメッセージを含む画面をディスプレイ４に表示させる。
【０１３９】
なお、上記に代えて、ステップＳ５０４〜Ｓ５０６の処理と並行して、ステップＳ５０７、Ｓ５０８の処理を行なうものとしてもよい。
【０１４０】
また、本発明の実施形態では、ウエラブル端末の認証が成功することが、ロックの解除が可能となる前提条件であったが、これに限定するものではなく、ウエラブル端末の認証手続きを省略してもよい。
【０１４１】
（３）ロックＮｏ．とパスワード
本実施の形態では、加速度センサによって、タッチパネル５上のタッチ位置を検出することで、タッチされた文字または数字を特定したが、これに限定されるものではない。
【０１４２】
タッチパネル５上のタッチした回数と、タッチ箇所の相対的な移動方向によって、タッチされた文字または数字を検出するものとしてもよい。
【０１４３】
たとえば、図５のロックＮｏ．入力画面において、１、５、６、９をタッチした場合に、タッチ回数が４回で、右下、右、下への移動が検出できる。これによって、１、５、６、９が順番にタッチされたことを検出することができる。
【０１４４】
また、ユーザが特定のロックＮｏ．またはパスワードを入力するときの加速度データをそのまま記録しておき、入力された加速度パターンとのパターンマッチングによって、タッチされた文字または数字を検出するものとしてもよい。
【０１４５】
図８におけるステップＳ１０８とＳ１０９、および図１１におけるステップＳ２１２とＳ２１３は、それぞれステップの順番が逆であっても良い。
【０１４６】
上記実施の形態では、ロック解除のための認証が１度失敗すると、ロック解除できない旨を表示したが（Ｓ１１２およびＳ２１６）、認証が所定の回数失敗したときにロック解除できるようにしてもよい。
【０１４７】
（４）加速度データ
本発明の実施形態では、ウエラブル端末が加速度を検出して加速度データを携帯端末に送信することとしたが、これに限定するものではなく、ウエラブル端末が、ウエラブル端末の動きを示すその他のデータを携帯端末に送信するものとしてもよい。たとえば、ウエラブル端末が、検出した加速度から、ウエラベル端末を保持するユーザの手、指、または物体の動きベクトルを検出して、検出した動きベクトルを携帯端末に送信するものとしてもよい。
【０１４８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１４９】
１  携帯端末、２  ウエラブル端末、３，２１  制御部、５，２３  タッチパネル、６，２５  メモリ、７  アンテナ、８  無線通信部、２７  加速度センサ、１０，２６  近距離通信部、１１  無線制御部、１２，２８  表示制御部、１３，２９  入力制御部、１４  ロック制御部、３２  センサ制御部、１６，３０  アプリケーション実行部、１７，３１  近距離通信制御部。
【図１】
0006576980.tif 000002
【図２】
0006576980.tif 000003
【図３】
0006576980.tif 000004
【図４】
0006576980.tif 000005
【図５】
0006576980.tif 000006
【図６】
0006576980.tif 000007
【図７】
0006576980.tif 000008
【図８】
0006576980.tif 000009
【図９】
0006576980.tif 000010
【図１０】
0006576980.tif 000011
【図１１】
0006576980.tif 000012
【図１２】
0006576980.tif 000013
【図１３】
0006576980.tif 000014
【図１４】
0006576980.tif 000015
【図１５】
0006576980.tif 000016
【図１６】
0006576980.tif 000017